(57)【要約】【課題】遊技機本体の前面に立体的構造を設けることによって各種部材の配設スペースを拡大した遊技機を提供する。【解決手段】ガラス扉枠４の前面にて前方へ張り出し且つガラス扉枠４との間に空間部４７ｈを有する張出し部４７を備えているので、空間部４７ｈ内を遊技領域１４上部の配設スペースとして活用しつつ、ガラス扉枠４前面にて立体的に設けられた張出し部４７に図柄変動表示装置５７や音声出力部５９を配設することができる。よって、ガラス扉枠４前面に立体的構造を形成することにより、各種部材の配設スペースを拡大することができる。【選択図】図１
2010259910.tif 000002
【特許請求の範囲】
【請求項１】
遊技機本体の前面に各種の部材が配設された遊技機において、
前記本体の前面にて前方へ張り出し且つ前記本体との間に空間部を有する張出し部を備えたことを特徴とする遊技機。
【発明の詳細な説明】
【技術分野】
【０００１】
本発明は、パチンコ遊技機、スロットマシン、パチロット遊技機等の各種の遊技機に関するものである。
【背景技術】
【０００２】
近年、従来に比べて遊技領域を大型化したパチンコ遊技機が実用化されている。例えば、図１９に示す従来のパチンコ遊技機５０１では、遊技領域５１４を臨む略円形の窓部５４１が設けられたガラス扉枠５０４下部に上皿５５４を一体的に設けると共に、遊技領域５１４とガラス扉枠５０４の上端又は左右両端から遊技領域５１４までの最小距離を５０ｍｍ程度まで縮小することにより、遊技領域５１４の直径を従来よりも約６０ｍｍ長い４４０ｍｍ程度に拡大されている。このパチンコ遊技機５０１によれば、大型の遊技領域５１４内を遊技球が落下することによるダイナミックな遊技を楽しめるようになっている。
【０００３】
一方、遊技機には、遊技者が長時間に亘って退屈させることなく遊技を楽しめるようにするために、遊技領域内に設けられた図柄変動表示装置とは別に、遊技場側から送信されるニュース、天気予報、広告情報、お知らせ等各種の情報を画面表示可能な表示部を配設したものが提案されている（例えば、特許文献１参照。）。
【先行技術文献】
【特許文献】
【０００４】
【特許文献１】特開２０００−３３１７２号公報
【発明の概要】
【発明が解決しようとする課題】
【０００５】
しかしながら、図１９に示す従来のパチンコ遊技機５０１では、ガラス扉枠５０４において遊技領域５１４が占める割合が大きくなり、ガラス扉枠５０４上に情報表示用の表示部や演出用の発光部等の各種部材を配設するためのスペースを確保することが困難となっているという問題がある。
【０００６】
解決しようとする課題は、遊技機本体の前面に立体的構造を設けることによって各種部材の配設スペースを拡大した遊技機を提供することである。
【課題を解決するための手段】
【０００７】
（請求項１）遊技機本体の前面に各種の部材が配設された遊技機において、
前記本体の前面にて前方へ張り出し且つ前記本体との間に空間部を有する張出し部を備えたことを特徴とする遊技機。
【発明の効果】
【０００８】
本発明によれば、遊技機本体の前面にて前方へ張り出し且つ本体との間に空間部を有する張出し部を備えることにより、本体前面に立体的構造を形成して各種部材の配設スペースを拡大することができる。すなわち、張出し部と本体との間に形成される空間部内を遊技領域の一部や各種部材の配設スペースとして活用しつつ、本体前面にて立体的に設けられた張出し部に表示部や音声出力部等の各種部材を配設することができるので、本体前面における各種部材の配設スペースを確実に拡大することができる。
【図面の簡単な説明】
【０００９】
【図１】第一の実施形態としてのパチンコ機の正面側における斜視図である。
【図２】パチンコ機の張出し部付近を示す正面図である。
【図３】図２におけるＡ−Ａ線断面及び張出し部と遊技者との位置関係を示す側面図である。
【図４】図２におけるＢ−Ｂ線断面図である。
【図５】パチンコ機の背面側における斜視図である。
【図６】ガラス扉枠を開放した状態における前面枠、遊技盤等を示す正面図である。
【図７】ガラス扉枠を示す背面図である。
【図８】第二の実施形態としてのパチロット機の正面側における斜視図である。
【図９】パチロット機の張出し部付近を示す正面図である。
【図１０】図９におけるＣ−Ｃ線断面及び張出し部と遊技者との位置関係を示す側面図である。
【図１１】第三の実施形態としてのスロットマシンの正面図である。
【図１２】スロットマシンの側面図である。
【図１３】パチロット機（又はスロットマシン）を用いた情報提供システムの全体構成を示すシステム構成図である。
【図１４】情報表示部において新台入れ替え情報を表示した例を示す図である。
【図１５】第一の実施形態の第１の変形例を示す斜視図である。
【図１６】第一の実施形態の第２の変形例を示す斜視図である。
【図１７】第一の実施形態の第３の変形例を示す側面図である。
【図１８】第二の実施形態の変形例を示す側面図である。
【図１９】従来のパチンコ機の正面側における斜視図である。
【発明を実施するための形態】
【００１０】
以下、本発明の遊技機を具体化した各実施形態について説明する。最初に、第一の実施形態であるパチンコ遊技機（以下、単に「パチンコ機」と称する）１について説明する。パチンコ機１は、内部の遊技球払い出し機構を利用して遊技球の貸し出しを行うＣＲ機と称されるタイプのパチンコ機であり、図１に示すように、カードユニット２０が隣接配置され且つ電気的に接続されている。カードユニット２０は、予め金額情報が記録された価値媒体としてのプリペイドカード２２を投入可能なカード投入口２１を有し、プリペイドカード２２から金額情報の読み出し及び書き込みが可能となっている。
【００１１】
パチンコ機１は、図１乃至図７に示すように、外枠２と、その外枠２の前部に設けられ外枠２の一側部にて開閉可能に支持された前面枠３とを備えている。外枠２は、パチンコ機１のベースとなる枠であり、板材により全体として矩形状に構成されている。尚、本実施の形態では、外枠２は木製であって、上下方向の長さは８０８ｍｍ、左右方向の長さは５２０ｍｍとなっている。また、前面枠３は合成樹脂、具体的にはＡＢＳ（アクリロニトリル−ブタジエン−スチレン）樹脂により構成されている。前面枠３の開閉軸線はパチンコ機１の正面から見て左側に上下に延びるように設定されている。尚、外枠２は樹脂により構成されていてもよく、あたかも外枠２及び前面枠３が一体物に見えるように構成されていてもよい。
【００１２】
前面枠３には、後述する下皿ユニット５１を除く前面枠３の前面側を覆うように、ガラス扉枠４が開閉自在に設けられている。また、張出し部４７以外の外枠２，前面枠３及びガラス扉枠４を含むパチンコ機１のすべての構成部材が本発明の遊技機本体を構成するものである。また、ガラス扉枠４の開閉軸線（軸支部）もパチンコ機１の正面から見て左側に上下に延びるように設定されている。詳しくは、ガラス扉枠４の背面図である図７に示すように、ガラス扉枠４の裏側から見て右側の上端部付近に回動軸９１が設けられ、図７に示すように前面枠３の正面から見て左側の上端部付近には回動軸９１が嵌め込まれる軸受部９２が設けられている。また、軸受部９２の下方には、上方に突出する突回動軸９３が設けられ、ガラス扉枠４の下側面には、前記回動軸９１の下方位置において、前記突回動軸９３を嵌め込むための図示しない軸受凹部が設けられている。そして、突回動軸９３を前記軸受凹部に嵌め込み、回動軸９１を軸受部９２に嵌め込むことによって、ガラス扉枠４が軸支され開閉可能となる。このように本実施の形態では、回動軸９１と突回動軸９３を結ぶ線がガラス扉枠４の開閉軸線として設定されている。
【００１３】
また、ガラス扉枠４には、裏側から一対のガラス４２が並行して取り付けられている。ガラス扉枠４の左右方向の長さは、前面枠３とほぼ同等であり、そのガラス扉枠４によって前面枠３下部に設けられた下皿ユニット５１を除く殆どの部分が覆われるようになっている。
【００１４】
前記前面枠３の後側（ガラス扉枠４の奥、外枠２の内側）には、遊技盤５が着脱可能に装着されている。なお、遊技盤５は、その周縁部が前面枠３の裏側に当接した状態で取り付けられており、図６では、遊技盤５の前面部の略中央部分だけが前面枠３の前面側に露出した状態となっている。この遊技盤５の上下方向の長さは４７６ｍｍ、左右方向の長さは４５１ｍｍとなっている。また、遊技盤５には、ルータ加工が施されることによって複数の開口部が形成されており、各開口部には、普通入賞チャッカー６、可変入賞装置７、作動チャッカー８、スルーチャッカー１０等が配設されている。
【００１５】
尚、後述する図柄変動表示装置５７の制御を行う表示制御基板や、スピーカ５９における音声出力の制御を行う音声制御基板を含む各種の制御基板は、図５に示すように、遊技盤５の背面側に設けた透明樹脂製の裏パック５ａによって覆われている。また、パチンコ機１の主制御を行うメイン基板はメイン基板ボックス５ｂに、入賞による遊技球の払い出しやカードユニット２０からの貸し出し要求に基づいて遊技球の払い出しを行う払出ユニット５ｄ及び遊技球の発射を行う発射装置３１の制御を行う払出発射制御基板は払出発射制御基板ボックス５ｃにそれぞれ収納されている。
【００１６】
また、可変入賞装置７は、通常、遊技球Ｂが入賞できない状態又は入賞し難い状態になっている。より詳しくは、作動チャッカー８に対し遊技球Ｂが入賞することに基づいて、図柄変動表示装置５７の液晶表示部の図柄が可変表示される。そして、確定された図柄の組合わせが予め設定した特定の図柄の組合わせとなったこと、ここでは停止した図柄が特定の組み合わせであることを必要条件に特別遊技状態が発生し、可変入賞装置７の大入賞口が所定の開放状態となり（具体的には所定時間、所定回数だけ開く）、遊技球Ｂが入賞しやすい状態（大当り遊技状態）になるよう構成されている。尚、図柄変動表示装置５７において変動表示される複数の図柄列のうち、１つを除く他の図柄列の停止時の組合せが大当り図柄の組合せであるリーチ遊技状態となったときに、図柄変動表示装置５７においてリーチ演出画面が表示されると共に、リーチ遊技状態の発生が後述するスピーカ５９から出力される効果音によって報知される。
【００１７】
また、周知のとおり、前記一般入賞口６、可変入賞装置７、作動チャッカー８に遊技球Ｂが入賞することに基づいて、後述する上皿５４（場合によっては下皿５３）に対し所定数の景品球が払い出されるようになっている。また、遊技盤５には、遊技球Ｂの落下方向を適宜分散、調整等するために多数の釘が植設されているとともに、風車９等の各種部材（役物）が配設されている。
【００１８】
さて、前記前面枠３は、外形が前記外枠２とほぼ同一形状をなす樹脂ベース１１と、この樹脂ベース１１の最内周側に位置し略円弧状をなすよう一体形成された内レール１２と、主として図の左側の内レール１２に対し所定間隔を隔てて前記樹脂ベース１１に一体形成された外レール１３とを備えている。これら内レール１２及び外レール１３は遊技球発射ハンドル５２の回動操作に基づき発射装置３１から発射された遊技球Ｂを遊技盤５上部へ案内する発射路としての役割を主として果たすものである。従って、内レール１２と外レール１３とが並行する部分（向かって左側の部分）によって、誘導レールが構成されることとなる。
【００１９】
前記内レール１２の下端部付近において、遊技盤５には遊技球Ｂを導出するアウト口２５が形成されている。そして、遊技盤５の下部に落下した遊技球の多くは、このアウト口２５を通って図示しない球排出路の方へと案内されるようになっている。このような構成の下、前面枠３の内周側の窓孔によって主として遊技領域の外延が確定されており、前面枠３に対し遊技盤５が装着された状態にあっては、内レール１２及び外レール１３が遊技盤５に当接又は近接した状態となる。そして、発射装置３１により発射された遊技球Ｂは、主として外レール１３によって遊技盤５の上部へと案内される。また、遊技盤５には、遊技球の払い出しを行う払出口３２が設けられ、この払出口３２に連通するようにガラス扉枠４側に払出口４５が設けられている（図６及び図７参照）。
【００２０】
次に、遊技領域１４について説明する。本実施の形態では、遊技領域１４を、パチンコ機１の正面から見て、内レール１２及び外レール１３によって囲まれる領域のうち、内外レール１２，１３の並行部分である誘導レールの領域を除いた領域としている。また、パチンコ機１において、外レール１３の最上部地点から遊技盤５下部までの間の距離は４６２ｍｍ、外レール１３の極左位置から内レール１２の極右位置までの間の距離は４４９ｍｍとなっている。また、内レール１２の極左位置から内レール１２の極右位置までの間の距離は４３２ｍｍとなっている。
【００２１】
ここで、ガラス扉枠４について説明する。ガラス扉枠４には、前記遊技領域１４の殆どを外部から視認することができるように略楕円形状の窓部４１が形成されている。具体的には、前記窓部４１は、その左右側の略中央部が、上下側に比べて比較的緩やかに湾曲した形状となっている。なお、前記略中央部が直線状になるようにしてもよい。本実施の形態において、前記窓部４１の上端（外レール１３の最上部、遊技領域の上端）と、ガラス扉枠４の上端との間の距離（いわゆる上部フレーム部分の上下幅）は５０ｍｍとなっており、８５ｍｍ〜９５ｍｍ程度上部フレーム幅がある従来技術に比べ、著しく短くなっている。なお、上記距離は、８０ｍｍ以下であることが望ましく、より望ましくは７０ｍｍ以下であり、さらに望ましくは６０ｍｍ以下である。勿論、所定の強度が確保できるのであれば、５０ｍｍ以下であっても差し支えない。
【００２２】
また、窓部４１の左端と、ガラス扉枠４の左端との間の最短距離（いわゆる左側部フレーム部分の左右幅）は、ガラス扉枠４自体の強度及び支持強度を高めるために比較的大きく設定されている。より詳しくは、図１及び図６を相互に比較すると明らかなように、ガラス扉枠４が閉じられた状態において、外レール１３の左側部は勿論、内レール１２の左側部も前記左側部フレーム部分によって覆い隠される。すなわち、誘導レールの一部が覆い隠される。このように遊技球Ｂが一時的に視認困難となったとしても、それは、遊技球Ｂが遊技領域１４に案内される通過点に過ぎず、遊技者が主として遊技を楽しむ遊技領域において遊技球Ｂが視認困難となるわけではない。そのため、実際の遊技に際しては何ら支障が生じない。また、このような支障が生じない一方で、ガラス扉枠４の十分な強度及び支持強度が確保可能となっている。ちなみに、外レール１３の左端位置と外枠２の左端位置との左右方向の距離は２１ｍｍ、遊技領域の右端位置（内レール１２の右端位置）と外枠２右端位置との左右方向の距離は４４ｍｍとなっている。また、ガラス扉枠４には、図５に示すように、その左右フレーム部分の裏側において、そのガラス扉枠４を補強するための例えば金属製の補強部材４３，４４が取り付けられている。
【００２３】
ガラス扉枠４の前面上部には、前方へ張り出し状に形成され且つガラス扉枠４との間に空間部４７ｈを有する張出し部４７が設けられている。ここで、図２は、張出し部４７付近を示す正面図、図３は、図２におけるＡ−Ａ線断面及び張出し部４７と遊技者との位置関係を示す側面図、図４は、図２におけるＢ−Ｂ線断面図である。張出し部４７は、遊技領域１４上部を左右方向に跨ぐアーチ状の外観を呈しており、中央では前方に数ｃｍ〜十数ｃｍ程度張り出している（図１参照）。また、張出し部４７前面の中央には図柄変動表示装置５７が配設されている。図柄変動表示装置５７は、液晶ディスプレイを備え、例えば、図２に示すように、左図柄列、中図柄列及び右図柄列の３つの表示列が画面表示される。各図柄列は複数の図柄によって構成されており、これら図柄が各図柄列毎にスクロールされるように表示画面に可変表示されるようになっている。尚、図柄変動表示装置５７は、液晶ディスプレイからなるので、高精細で見易い画面表示を行うことができる。
【００２４】
また、張出し部４７には、図柄変動表示装置５７を挟んで左右両側に音声出力部５９，５９が設けられている。音声出力部５９には、図示しない接続コードを介して音声制御基板と電気的に接続されたスピーカ本体５９ａが収納されている。また、張出し部４７においてスピーカ本体５９ａの前面を覆う箇所には多数の小孔４７ａが形成されており、スピーカ本体５９ａから出力される音声が遊技者から聞こえやすくなっている。尚、スピーカ本体５９ａを遊技者方向に向けてやや下向きに傾斜配置してもよい。このような構成とすることによって、より直接的に音声が遊技者の耳に到達し、遊技者は音声を一層明瞭に聴取することができる。
【００２５】
併せて、図１及び図６に示すように、ガラス扉枠４の存在していない前面枠３下部は、例えばＡＢＳ（アクリロニトリル−ブタジエン−スチレン）樹脂よりなる下皿ユニット５１となっている。下皿ユニット５１の右下部からは、遊技球発射用ハンドル５２が手前側に延設されている。また、下皿ユニット５１のほぼ中央部には球受け皿としての景品球払出用の下皿５３が設けられている。さらに、下皿ユニット５１には下皿５３の左側に隣接して灰皿５６が設けられている。
【００２６】
これに対し、ガラス扉枠４における窓部４１下方の下部フレームには、上皿５４が一体的に設けられている。上皿５４は、合成樹脂を成形することによって製造され、ガラス扉枠４の払出し口４５より払い出された遊技球及び遊技者により投入された遊技球を貯留する貯留部５４ａ、払出し口４５より払い出された遊技球を貯留部５４ａへ流入させる流入口５４ｌ、及び貯留部５４ａに貯留された遊技球をガラス扉枠４の供給穴４９を通して発射装置３１側へ供給する供給口５４ｒを有し、流入口５４ｌ及び供給口５４ｒの後端面においてガラス扉枠４にビス等を用いて取り付け固定されている。
【００２７】
ガラス扉枠４の窓部４１下方には、遊技球の貸し出しに関する操作を行うための貸球操作部４６が設けられている。貸球操作部４６は、図１に示すように、遊技球の貸し出し可能状態をランプによって示す貸出ボタンランプ４６ａ、遊技球の貸し出しを行うための貸出ボタン４６ｂ、プリペイドカード２２の返却を行うための返却ボタン４６ｃ、プリペイドカード２２の残り度数を表示する度数表示ＬＥＤ４６ｄとを備えている。
【００２８】
ガラス扉枠４の周囲（例えばコーナー部分や窓部４１の周縁）には、各種ランプ、ＬＥＤ等の発光手段を備えた電飾部材６２が設けられている。これら電飾部材６２は、大当り時や所定のリーチ時等の遊技状態の変化に応じて点灯、点滅のように発光手段の発光態様が変更制御され遊技中の演出効果を高める役割を果たすようになっている。勿論、これら電飾部材６２を、遊技盤５に設ける構成（コーナー飾りと称される電飾部材６２を遊技盤５のコーナー部等に配設する）としてもよいし、場合によっては前面枠３に設ける構成としてもよい。更には、前後一対のガラス４２間に配設する構成としてもよい。
【００２９】
また、周知のとおり、前面枠３が外枠２に対し閉じられると自動的にロックがかかるようになっており、所定のキー操作が行われることによりロックが解除されるようになっている。同様に、ガラス扉枠４が前面枠３に対し閉じられると自動的にロックがかかり、別途のキー操作が行われることによりロックが解除されるようになっている。このようにロック及びロック解除を行うためのロック機構が前面枠３の右下部、つまり下皿ユニット５１の右端部に設けられている。ロック機構には、鍵穴を有するキーシリンダ（解除キー）５５、前面枠３及び外枠２間でのロック及び解除を行うための第２ロック機構が含まれる。本実施の形態では、最も幅狭で、遊技領域の拡張を阻害する前面枠の右中央部ではなく、比較的にスペースにゆとりのある前面枠３の右下部に、キーシリンダ５５をはじめとする上記ロック機構（特にキーシリンダ５５）が配設されている。換言すれば、キーシリンダ５５は、遊技領域の最大幅となる位置を避けて配置されている。このような構成により、遊技領域の拡張をより容易且つ確実に図ることができる。
【００３０】
勿論、最も幅狭な部分以外であれば、上記以外の部位に設けてもよく、例えば、前面枠３の右上部に設けるような構成としてもよい。また、上記例では、第１ロック機構及び第２ロック機構をキーシリンダ５５でともにロック状態を解除可能としたが、それぞれの解除のためのキーシリンダを別体で設けることとしてもよい。
【００３１】
以上詳述したことから明らかなように、本実施形態によれば、ガラス扉枠４（遊技機本体）の前面にて前方へ張り出し且つガラス扉枠４との間に空間部４７ｈを有する張出し部４７を備えることにより、ガラス扉枠４前面に立体的構造を形成して各種部材の配設スペースを拡大することができる。すなわち、張出し部４７とガラス扉枠４との間に形成される空間部４７ｈ内を遊技領域１４上部の配設スペースとして活用しつつ、ガラス扉枠４前面にて立体的に設けられた張出し部４７に図柄変動表示装置５７や音声出力部５９を配設することができるので、ガラス扉枠４前面における各種部材の配設スペースを確実に拡大することができる。また、張出し部４７が、遊技領域１４の上部を左右方向に跨ぐアーチ状に形成されているので、遊技領域４がガラス扉枠４前面の上端近傍にまで及ぶように設けられてガラス扉枠４前面上部に各種部材の配設に必要な面積を確保できない場合でも、張出し部４７に各種部材の配設スペースを確保することができる。
【００３２】
また、図柄変動表示装置５７が、張出し部４７の前面部から奥まった位置に配設されているので、当該パチンコ機１の遊技者には見易く画面表示可能であると共に、当該遊技者以外の視線から遮蔽することができるため、例えば、大当り発生の期待感が高まるリーチ遊技状態等に周囲の遊技者によって図柄変動表示装置５７を覗き見されて当該遊技者が不快感な気分にさせられることを防止できる。また、図柄変動表示装置５７を挟んで複数の音声出力部５９からそれぞれ音声が出力されるので、遊技者は立体的な音響を楽しむことができる。
【００３３】
次に、本発明の第二の実施形態について、図８乃至図１０を参照しつつ説明する。第二の実施形態は、複数種類の図柄が表示された複数の回転リールを有し、各回転リールの回転停止時の図柄の組合わせに基づく入賞態様に応じて遊技球が払い出されるパチロット遊技機（以下、単に「パチロット機」と称する）である。本実施形態のパチロット機１０１は、図８に示すように、正面側に開口すると共に、複数種類の図柄が表示された図示しない複数（３個）の回転リールが収容される本体枠１２０と、本体枠１２０の前面を覆うように開閉可能に取り付けられ、各回転リールの図柄を視認可能な表示窓１６３を設けた合成樹脂製のフロントパネル１６０とを備えている。また、後述する張出し部１４７以外の本体枠１２０及びフロントパネル１６０を含むパチロット機１０１のすべての構成部材が本発明の遊技機本体を構成するものである。
【００３４】
また、フロントパネル１６０の前面には、上部の左右に音声出力部１５９，１５９、装飾ランプ１６２、前方へ突出する台状に形成された上皿１５４、払い出された遊技球又は上皿１５４より誘導された遊技球を受けて貯留する下皿１７０等が設けられている。音声出力部１５９には、図示しない接続コードを介して音声制御基板と電気的に接続されたスピーカ本体１５９ａが収納されている。また、音声出力部１５９においてスピーカ本体１５９ａの前面を覆うカバー１５９ｂには多数の小孔１５９ｃが形成されており、スピーカ本体１５９ａから出力される音声が遊技者から聞こえやすくなっている。上皿１５４の上面には、各回転リールの回転停止時の図柄の組合わせに基づく入賞態様に応じてフロントパネル１６０の払出し口１４５より払い出された遊技球及び遊技者により投入された遊技球を貯留する貯留部１５４ａ、払出し口１４５より払い出された遊技球を貯留部１５４ａへ流入させる流入口１５４ｌ、及び貯留部１５４ａに貯留された遊技球をフロントパネル１６０の供給穴１４９を通して本体側へ供給する供給口１５４ｒが設けられている。
【００３５】
また、前壁部１５４ｃの上面には、クレジットされている遊技球を投入するためのベットスイッチ１６５や、クレジットされている遊技球を払い出すためのキャンセルスイッチ１６６が設けられている。また、前壁部１５４ｃの前面は操作部１６４となっており、回転リールの回転起動操作を行うスタートレバー１６７、及び左・中・右の回転リールにそれぞれ対応して設けられたストップスイッチ１６８が設けられている。
【００３６】
フロントパネル１６０の前面上部には、前方へ張り出し状に形成され且つフロントパネル１６０との間に空間部１４７ｈを有する張出し部１４７が設けられている。また、張出し部１４７は、音声出力部１５９，１５９を左右方向に跨ぐアーチ状の外観を呈しており、中央では前方に数ｃｍ〜十数ｃｍ程度張り出している。張出し部１４７前面の中央には情報表示部１５７が配設されている。尚、図９は、張出し部１４７付近を示す正面図であり、図１０は、図９におけるＣ−Ｃ線断面及び張出し部１４７と遊技者との位置関係を示す側面図である。情報表示部１５７は、横長の長方形状を呈する液晶ディスプレイからなり、通信回線３０５を介してホールサーバ３０４から受信した表示用データに基づいて画面表示を行う。また、空間部１４７ｈ内で音声出力部１５９，１５９から音声が出力されて、音声が必要以上に周囲に広がらないので、当該遊技者には音声が明瞭に聴取され且つ周囲の遊技者には聴取されにくい。
【００３７】
次に、上述したパチロット機１０１を用いた情報提供システム３０１のシステム構成について、図１３を参照しつつ説明する。情報提供システム３０１は、図１３に示すように、遊技ホール外の情報提供センタ等に設けられる情報サーバ３０２と、情報サーバ３０２が接続されたインターネット網３０３と、遊技ホール側に設けられてインターネット網３０３に接続されたホールサーバ３０４と、遊技ホール内に設けられた通信線３０５と、遊技ホール内に設置されて通信線３０５を介してホールサーバ３０４と接続された複数のパチロット機１０１，・・１０１とから構成される。
【００３８】
情報サーバ３０２には、各種情報の表示用データが記憶されており、当該記憶された表示用データを、インターネット網３０３を介して各遊技ホールのホールサーバ３０４に対して定期的に配信する。情報サーバ３０２によって配信される表示用データは、地域の飲食店情報等の広告情報、ニュース、天気予報等である。ホールサーバ３０４は、インターネット網３０３を介して表示用データを受信して内部の記憶装置に記憶する。また、ホールサーバ３０４は、遊技ホールにおいて入力された表示用データをも記憶装置に記憶する。尚、遊技ホールにおいて入力される表示用データは、新台入れ替え情報、遊技機の新機種情報、景品情報、遊技ホールからのお知らせ等である。そして、ホールサーバ３０４は、記憶した表示用データを通信回線３０５を介して所定のタイミングで各パチロット機１０１へ送信する。各パチロット機１０１において、情報表示部１５７が受信した表示用データに基づいて画面表示を行う。図１４は、情報表示部１５７において、新台入れ替え情報を表示した例を示している。
【００３９】
以上詳述したことから明らかなように、本実施形態によれば、フロントパネル１６０の前面にて前方へ張り出し且つフロントパネル１６０との間に空間部１４７ｈを有する張出し部１４７を備えることにより、フロントパネル１６０前面に立体的構造を形成して各種部材の配設スペースを拡大することができる。また、情報表示部１５７がフロントパネル１６０の前面にて前方へ張り出す張出し部１４７に配設されているので、より遊技者に近い位置で見易い画面表示を行うことができる。特に、情報表示部１５７は、情報サーバ３０２からインターネット網３０３を介して配信された表示用データや遊技ホールにおいて入力された広告宣伝情報、ニュース、お知らせ等に関する表示用データをホールサーバ３０４より受信して画面表示することができる。
【００４０】
次に、本発明の第三の実施形態について、図１１乃至図１２を参照しつつ説明する。尚、第二の実施形態で説明した図１３に示す情報提供システム３０１は、第三の実施形態においても共通に用いられるものとする。第三の実施形態の遊技機であるスロットマシン２０１は、図１１に示すように、正面側に開口すると共に、複数種類の図柄が表示された複数（３個）の回転リール２２１が収容される本体キャビネット２２０と、本体キャビネット２２０の前面を覆うように開閉可能に取り付けられ、各回転リール２２１の図柄を視認可能な表示窓を設けたフロントパネル２６０とを備えている。また、後述する張出し部２４７以外の本体キャビネット２２０及びフロントパネル２６０を含むスロットマシン２０１のすべての構成部材が本発明の遊技機本体を構成するものである。
【００４１】
本体キャビネット２２０は、天板、左右の側板、底板、裏板などから構成され、例えば、薄板板金素材を切断、孔あけ、曲げ加工等して所定のパネル形状に加工した後、これ等の部材を溶接して図示する正面側に開口する箱状に形成される。
【００４２】
フロントパネル２６０は、合成樹脂の成型加工によって、本体キャビネット２２０の開口部分を覆う扉状に形成される。フロントパネル２６０には、本体キャビネット２２０に収容された左・中・右の回転リール２２１の前面側に対向する位置に、ガラスが嵌め込まれた表示窓２６３が設けられ、各回転リール２２１に表示された図柄が視認可能となっている。フロントパネル２６０上部には、情報表示部２５７が配設されている。情報表示部２５７は、横長の長方形状を呈する大型の液晶ディスプレイからなり、通信回線３０５を介してホールサーバ３０４から受信した表示用データに基づいて画面表示を行う（図１３、１４参照）。
【００４３】
表示窓２６３の下方には、前方に突出する台状の操作部２６４が設けられている。この操作部２６４の上面には、クレジットされている遊技メダルを投入するためのベットスイッチや、クレジットされているメダルを払い出すためのキャンセルスイッチ等を含む各種スイッチ２６５、及び遊技メダルを投入するためのメダル投入口２６６が設けられている。また、操作部２６４の前面には、回転リール２２１の回転起動操作を行うスタートレバー２６７、及び左・中・右の回転リール２２１にそれぞれ対応して設けられたストップスイッチ２６８が設けられている。また、フロントパネル２６０上下方向中央に設けられた操作部２６４の下方の領域には、機種名称等が描かれた化粧パネル２７２が取り付けられている。
【００４４】
フロントパネル２６０の下部には、各回転リール２２１の回転停止時の図柄の組合わせに基づく入賞態様に応じて払い出された遊技メダルを受けて貯留するメダル受皿２７０が設けられている。メダル受皿２７０は、合成樹脂の成型加工により上面が開口する箱状に形成されている。
【００４５】
フロントパネル２６０の前面上部には、前方へ張り出し状に形成され且つフロントパネル２６０との間に空間部２４７ｈを有する張出し部２４７が設けられている。また、張出し部２４７は、情報表示部２５７の上部を左右方向に跨ぐアーチ状の外観を呈しており、中央では前方に数ｃｍ〜十数ｃｍ程度張り出している。張出し部２４７前面には、複数の発光ダイオード（ＬＥＤ）２６２ａを左右方向に整列させて配設した電飾部２６２が全体に亘って形成されている。尚、ＬＥＤに代えて、多数の電球を配設することにより電飾部２６２を構成してもよい。
【００４６】
以上詳述したことから明らかなように、本実施形態によれば、フロントパネル２６０の前面にて前方へ張り出し且つフロントパネル２６０との間に空間部２４７ｈを有する張出し部２４７を備えることにより、大型の情報表示部２５７をフロントパネル２６０前面上部に配設する構成を採用しつつ、フロントパネル２６０前面に立体的構造を形成して各種部材の配設スペースを拡大することができる。また、遊技者の目に付きやすく且つ立体的構造を有する張出し部２４７に複数のＬＥＤ２６２ａを有する電飾部２６２が形成されているので、光による効果的な演出を行うことにより遊技の興趣を増大させることができる。また、フロントパネル２６０前面のスペースが小さい場合でも、張出し部２４７上に大型の電飾部２６２を構成することができる。
【００４７】
尚、本発明は上述した各実施の形態に限定されるものではなく、本発明の主旨を逸脱しない範囲で種々の変更を施すことが可能である。例えば、前記第一の実施形態において、図１５に示す第１の変形例のように、音声出力部５９，５９を挟んで外側に壁状部材４７ｗ、４７ｗを立設する構成としてもよい。本変形例によれば、音声出力の指向性が向上して当該遊技機の遊技者にはより一層明瞭に音声を聴取させることができると共に、周囲の遊技者からはより一層聴取され難くすることができる。また、壁状部材４７ｗ、４７ｗによって当該遊技者以外の視線から図柄変動表示装置５７をより確実に遮蔽して、周囲の遊技者による覗き見を確実に防止することができる。
【００４８】
また、第一の実施形態において、図１６に示す第２の変形例のように、ガラス扉枠４の前面右端にて前方へ張り出し且つガラス扉枠４との間に空間部４７’ｈを有する張出し部４７’を、遊技領域１４の右端部分を上下方向に跨ぐアーチ状の外観を呈するように設け、遊技者によって操作される操作部としての貸し球操作部４６’を張出し部４７’上に配設するように構成してもよい。貸し球操作部４６’は、第一の実施形態の貸し球操作部４６と同様に、遊技球の貸し出し可能状態をランプによって示す貸出ボタンランプ４６’ａ、遊技球の貸し出しを行うための貸出ボタン４６’ｂ、プリペイドカード２２の返却を行うための返却ボタン４６’ｃ、プリペイドカード２２の残り度数を表示する度数表示ＬＥＤ４６’ｄを備えている。尚、本変形例では、例えば、図柄変動表示装置５７を遊技領域１４内に配設するようにしてもよい。本変形例によれば、ガラス扉枠４の右端近傍に遊技領域１４が及んでいる場合でも、張出し部４７’上に貸し球操作部４６’を配設することができる。また、遊技者から見易く且つ手が届きやすい張出し部４７’に貸し球操作部４６’が配設されているので、遊技者は貸し球操作部４６’において容易に遊技球の貸し出しに関する操作を行うことができる。
【００４９】
また、前記各実施形態では、遊技機本体の前面上部に張出し部４７等を設けた例を示したが、遊技機の構成によっては、遊技機本体前面の下部、中央部、左端部又は右端部に張出し部を設ける構成としてもよい。また、前記各実施形態では、張出し部４７等が遊技機本体前面の所定部分を左右方向に跨ぐように配設する構成としたが、左右方向に限られず、上下方向や斜め方向に跨ぐように配設する構成としてもよい。さらに、前記各実施形態では、張出し部４７等を左右に一文字状に延設する構成としたが、Ｘ字状に交差させる構成としてもよい。
【００５０】
また、前記第一の実施形態では、図柄変動表示装置５７を液晶ディスプレイにより構成したが、図柄変動表示装置５７をＥＬディスプレイ（ＥＬは、エレクトロルミネッセントの略）により構成してもよい。本変形例によれば、図柄変動表示装置５７が高輝度で見易い画面表示を行うことができる。尚、図柄変動表示装置５７を可撓性を有する材質からなるＥＬディスプレイにより構成する場合、図１７に示す第３の変形例のように、ＥＬディスプレイを曲面状に配設する構成としてよい。本変形例によれば、外部からの光の写り込みが防止されて図柄変動表示装置５７における画面表示の視認がより一層容易となる。
【００５１】
或いは、図柄変動表示装置５７をＬＥＤディスプレイにより構成してもよい。本変形例によれば、図柄変動表示装置５７が安価な構成で見易い画面表示を行うことができる。さらに、第二の実施形態において、情報表示部１５７をタッチパネル式ディスプレイにより構成してもよい。本変形例によれば、遊技者が指で情報表示部１５７の表面に触れることによって容易に各種の入力操作を行うことができる。入力操作としては、表示したい情報の選択入力を行えるようにしてもよいし、タッチパネル式ディスプレイ上に球貸しボタン等を設けて貸し球操作部を構成するようにしてもよい。さらに、図１８に示す変形例のように、情報表示部１５７の両端を回転自在に支持して、情報表示部１５７が所定の傾斜角となるように上下に回動可能に配設してもよい。本変形例によれば、情報表示部１５７が遊技者の視線方向となるように傾斜角を調整可能であるので、遊技者は、より一層容易に画面表示を視認することができる。
【００５２】
（付記）
上述した実施形態から、以下に示す本発明の各手段を抽出することができる。以下、各手段につき、必要に応じて作用効果等を付記しつつ説明する。
１．遊技機本体の前面に各種の部材が配設された遊技機において、
前記本体の前面にて前方へ張り出し且つ前記本体との間に空間部を有する張出し部を備えたことを特徴とする遊技機。
手段１によれば、遊技機本体の前面にて前方へ張り出し且つ本体との間に空間部を有する張出し部を備えることにより、本体前面に立体的構造を形成して各種部材の配設スペースを拡大することができる。すなわち、張出し部と本体との間に形成される空間部内を遊技領域の一部や各種部材の配設スペースとして活用しつつ、本体前面にて立体的に設けられた張出し部に表示部や音声出力部等の各種部材を配設することができるので、本体前面における各種部材の配設スペースを確実に拡大することができる。
【００５３】
２．前記張出し部は、前記本体前面に配設された所定の部材を跨ぐアーチ状に形成されたことを特徴とする手段１に記載の遊技機。
手段２によれば、張出し部が本体前面に配設された所定の部材を跨ぐアーチ状に形成されているので、本体前面における所定部材の形状や配置に影響を及ぼすことなく、本体前面に立体的構造を形成して各種部材の配設スペースを拡大することができる。尚、所定の部材は、遊技領域の一部、表示部、音声出力部等の従来より遊技機の本体前面に配設されている各種の部材である。
【００５４】
３．前記張出し部に、画面表示可能な表示部を配設したことを特徴とする手段１又は２に記載の遊技機。
手段３によれば、表示部が遊技機本体の前面にて前方へ張り出す張出し部に配設されているので、より遊技者に近い位置で見易い画面表示を行うことができる。
【００５５】
４．前記表示部は、前記張出し部の前面部から奥まった位置に配設されたことを特徴とする手段３に記載の遊技機。
手段４によれば、表示部が張出し部の前面部から奥まった位置に配設されているので、当該遊技機の遊技者には見易く画面表示可能であると共に、当該遊技者以外の視線から遮蔽することができるため、例えば、大当り発生の期待感が高まるリーチ遊技状態等に周囲の遊技者によって表示部を覗き見されて当該遊技者が不快感な気分にさせられることを防止できる。
【００５６】
５．前記表示部を挟んで左右に壁状の遮蔽部を配設したことを特徴とする手段３又は４に記載の遊技機。
手段５によれば、表示部を挟んで左右に壁状の遮蔽部が配設されているので、当該遊技機の遊技者には見易く画面表示可能であると共に、当該遊技者以外の視線から遮蔽することができるため、例えば、大当り発生の期待感が高まるリーチ遊技状態等に周囲の遊技者によって表示部を覗き見されて当該遊技者が不快感な気分にさせられることを防止できる。
【００５７】
６．前記表示部は、所定の傾斜角となるように回動可能に配設されたことを特徴とする手段３乃至５のいずれかに記載の遊技機。
手段６によれば、表示部は、所定の傾斜角となるように回動可能に配設され、表示部が遊技者の視線方向となるように傾斜角を調整可能であるので、遊技者は、より一層容易に画面表示を視認することができる。
【００５８】
７．前記表示部は、曲面状に配設されたことを特徴とする手段３乃至６のいずれかに記載の遊技機。
手段７によれば、表示部が曲面状に配設されているので、外部からの光の写り込みが防止されて表示部における画面表示の視認がより一層容易となる。尚、表示部は、可撓性を有する材質からなるディスプレイ（例えば、ＥＬディスプレイ）によって構成することが好ましい。
【００５９】
８．前記表示部は、タッチパネル式ディスプレイからなることを特徴とする手段３乃至７のいずれかに記載の遊技機。
手段８によれば、表示部がタッチパネル式ディスプレイからなるので、遊技者が指で表示部の表面に触れることによって容易に各種の入力操作を行うことができる。
【００６０】
９．前記表示部は、液晶ディスプレイからなることを特徴とする手段３乃至８のいずれかに記載の遊技機。
手段９によれば、表示部が液晶ディスプレイからなるので、高精細で見易い画面表示を行うことができる。
【００６１】
１０．前記表示部は、ＥＬディスプレイからなることを特徴とする手段３乃至８のいずれかに記載の遊技機。
手段１０によれば、表示部がＥＬディスプレイからなるので、高輝度で見易い画面表示を行うことができる。また、ＥＬディスプレイは可撓性を有する材質からなるので、曲面状に配設することにより、外部からの光の写り込みを防止して画面表示の視認をより一層容易とすることができる。
【００６２】
１１．前記表示部は、ＬＥＤディスプレイからなることを特徴とする手段３乃至８のいずれかに記載の遊技機。
手段１１によれば、表示部がＬＥＤディスプレイからなるので、安価な構成で見易い画面表示を行うことができる。
【００６３】
１２．前記表示部は、所定の遊技の実行に関連して画面表示するように構成されたことを特徴とする手段３乃至１１のいずれかに記載の遊技機。
手段１２によれば、遊技者により注視される所定の遊技の実行に関連した画面表示を、当該遊技者に見易く表示することができる。
【００６４】
１３．前記表示部は、複数の図柄列が変動表示される図柄変動表示装置によって構成されたことを特徴とする手段１２に記載の遊技機。
手段１３によれば、図柄変動表示装置が張出し部に設けられているので、遊技者によって注視される複数の図柄列の変動表示を、当該遊技者に見易く表示することができる。
【００６５】
１４．前記図柄変動表示装置は、変動表示される複数の図柄列のうち、１つを除く他の図柄列の停止時の組合せが大当り図柄の組合せであるリーチ遊技状態となったときにリーチ演出を実行するように構成されたことを特徴とする手段１３に記載の遊技機。
手段１４によれば、図柄変動表示装置が張出し部に設けられているので、遊技者によって注視され且つ大当り発生の期待感が高まるリーチ演出表示を、当該遊技者に見易く表示することができる。
【００６６】
１５．前記表示部は、外部より受信した表示用データに基づいて画面表示を行うように構成されたことを特徴とする手段３乃至１１のいずれかに記載の遊技機。
手段１５によれば、表示部は、外部（例えば、ホールサーバ等）より受信した広告宣伝情報、ニュース、お知らせ等に関する表示用データに基づいて各種の情報を画面表示することができる。
【００６７】
１６．前記表示用データは、インターネット等の通信回線を介して受信されることを特徴とする手段１５に記載の遊技機。
手段１６によれば、表示部が、インターネット等の通信回線を介して受信された広告宣伝情報、ニュース、お知らせ等に関する表示用データに基づいて各種の情報を画面表示することができる。
【００６８】
１７．前記張出し部に、音声出力可能な音声出力部を配設したことを特徴とする手段１乃至１６のいずれかに記載の遊技機。
手段１７によれば、音声出力部が遊技機本体の前面にて前方へ張り出す張出し部に配設されているので、遊技者から近い位置で音声を明瞭に聴取させることができる。
【００６９】
１８．前記音声出力部は、遊技者方向に向けて傾斜配置されたことを特徴とする手段１７に記載の遊技機。
手段１８によれば、音声出力部が遊技者方向に向けて傾斜配置されているので、より直接的に音声が遊技者の耳に到達し、遊技者は音声を一層明瞭に聴取することができる。
【００７０】
１９．前記音声出力部は、前記張出し部に複数配設されたことを特徴とする手段１７又は１８に記載の遊技機。
手段１９によれば、張出し部に複数の音声出力部が配設されているので、複数の音声出力部からそれぞれ音声が出力されることによって、遊技者は立体的な音響を楽しむことができる。
【００７１】
２０．前記張出し部に、発光部を配設したことを特徴とする手段１乃至１９のいずれかに記載の遊技機。
手段２０によれば、発光部が遊技者の目に付きやすく且つ立体的構造を有する張出し部に配設されているので、光による効果的な演出を行うことにより、遊技の興趣を増大させることができる。また、本体前面のスペースが小さい場合でも、張出し部上に大型の発光部を構成することができる。
【００７２】
２１．前記発光部は、発光ダイオード又は電球を備えたことを特徴とする手段２０に記載の遊技機。
手段２１によれば、発光ダイオード又は電球を用いて発光部を安価に構成することができる。
【００７３】
２２．前記張出し部に、遊技者によって操作される操作部を配設したことを特徴とする手段１乃至２１のいずれかに記載の遊技機。
手段２２によれば、遊技者から見易く且つ手が届きやすい張出し部に操作部が配設されているので、遊技者は操作部において容易に所定の操作を行うことができる。
【００７４】
２３．前記操作部は、遊技機本体において実行される遊技内容に関連する遊技用操作スイッチを備えたことを特徴とする手段２２に記載の遊技機。
手段２３によれば、遊技者から見易く且つ手が届きやすい張出し部に遊技用操作スイッチが設けられているので、遊技者は遊技機本体において実行される遊技内容に関連する操作を容易に行うことができる。
【００７５】
２４．前記操作部は、遊技球の貸し出し機能に関連する貸球用操作スイッチを備えたことを特徴とする手段２２又は２３に記載の遊技機。
手段２４によれば、遊技者から見易く且つ手が届きやすい張出し部に貸球用操作スイッチが設けられているので、遊技球の貸し出し機能に関連する操作を容易に行うことができる。
【００７６】
２５．前記操作部は、遊技球の貸し出しを実行するための貸し出しスイッチを備えたことを特徴とする手段２２乃至２４のいずれかに記載の遊技機。
手段２５によれば、遊技者から見易く且つ手が届きやすい張出し部に貸し出しスイッチが設けられているので、遊技球の貸し出しを実行するための操作を容易に行うことができる。
【００７７】
２６．前記操作部は、遊技球の貸し出しに用いる価値媒体の返却を実行するための返却スイッチを備えたことを特徴とする手段２２乃至２５に記載の遊技機。
手段２６によれば、遊技者から見易く且つ手が届きやすい張出し部に返却スイッチが設けられているので、遊技球の貸し出しに用いる価値媒体の返却を実行するための操作を容易に行うことができる。
【００７８】
２７．前記操作部は、遊技球の貸し出し可能状態を表示する貸出可能状態表示部を備えたことを特徴とする手段２２乃至２６のいずれかに記載の遊技機。
手段２７によれば、遊技者から見易い張出し部に貸出可能状態表示部が設けられているので、遊技球の貸し出し可能状態を容易に確認できる。
【００７９】
２８．前記操作部は、遊技球の貸し出しに用いる価値媒体における価値の残高を表示する残高表示部を備えたことを特徴とする手段２２乃至２７のいずれかに記載の遊技機。
手段２８によれば、遊技者から見易い張出し部に残高表示部が設けられているので、価値媒体における価値の残高を容易に確認できる。
【００８０】
２９．前記遊技機は、パチンコ遊技機であることを特徴とする手段１乃至２８のいずれかに記載の遊技機。
手段２９によれば、パチンコ遊技機において、本体の前面にて前方へ張り出し且つ本体との間に空間部を有する張出し部を備えることにより、本体前面に立体的構造を形成して各種部材の配設スペースを拡大することができる。
【００８１】
３０．前記張出し部は、遊技球が流下する遊技領域を臨む窓部にガラスを設けたガラス扉枠に設けられたことを特徴とする手段２９に記載の遊技機。
手段３０によれば、遊技領域を臨む窓部にガラスを設けたガラス扉枠を備えたパチンコ遊技機において、ガラス扉枠前面にて前方へ張り出し且つ遊技機本体との間に空間部を有する張出し部を備えることにより、ガラス扉枠前面に立体的構造を形成して各種部材の配設スペースを拡大することができる。
【００８２】
３１．前記張出し部は、前記遊技領域の上部を左右方向に跨ぐアーチ状に形成されたことを特徴とする手段３０に記載の遊技機。
手段３１によれば、張出し部が、遊技領域の上部を左右方向に跨ぐアーチ状に形成されているので、遊技領域が本体前面の上端近傍にまで及ぶように設けられて本体前面上部に各種部材の配設に必要な面積を確保できない場合でも、張出し部に各種部材の配設スペースを確保することができる。
【００８３】
３２．前記張出し部は、前記遊技領域の右端又は左端を上下方向に跨ぐアーチ状に形成されたことを特徴とする手段３０に記載の遊技機。
手段３２によれば、張出し部が、遊技領域の右端又は左端を上下方向に跨ぐアーチ状に形成されているので、遊技領域が本体前面の右端又は左端近傍にまで及ぶように設けられて本体前面右端又は左端部分に各種部材の配設に必要な面積を確保できない場合でも、張出し部に各種部材の配設スペースを確保することができる。
【００８４】
３３．前記遊技機は、複数種類の図柄が表示された複数の回転リールを有し、前記各回転リールの回転停止時の図柄の組合わせに基づく入賞態様に応じて遊技球が払い出されるパチロット遊技機であることを特徴とする手段１乃至２８のいずれかに記載の遊技機。
手段３３によれば、パチロット遊技機において、本体の前面にて前方へ張り出し且つ本体との間に空間部を有する張出し部を備えることにより、本体前面に立体的構造を形成して各種部材の配設スペースを拡大することができる。
【００８５】
３４．前記遊技機は、スロットマシンであることを特徴とする手段１乃至２８のいずれかに記載の遊技機。
手段３４によれば、スロットマシンにおいて、本体の前面にて前方へ張り出し且つ本体との間に空間部を有する張出し部を備えることにより、本体前面に立体的構造を形成して各種部材の配設スペースを拡大することができる。
【産業上の利用可能性】
【００８６】
本発明は、パチンコ遊技機、スロットマシン、パチロット遊技機等の各種の遊技機に適用可能である。
【符号の説明】
【００８７】
１ パチンコ遊技機（遊技機）
４ ガラス扉枠（本体）
１４ 遊技領域
４６’ 貸し球操作部（操作部）
４６’ａ 貸出ボタンランプ
４６’ｂ 貸出ボタン
４６’ｃ 返却ボタン
４６’ｄ 度数表示ＬＥＤ
４７、４７’ 張出し部
４７ｈ、４７’ｈ 空間部
５７ 図柄変動表示装置（表示部）
５９ 音声出力部
１０１ パチロット遊技機（遊技機）
１４７ 張出し部
１４７ｈ 空間部
１５７ 情報表示部（表示部）
１６０ フロントパネル（本体）
２０１ スロットマシン（遊技機）
２４７ 張出し部
２４７ｈ 空間部
２６０ フロントパネル（本体）
２６２ 電飾部（発光部）
２６２ａ 発光ダイオード（発光部）
２５７ 情報表示部
【図１】
2010259910.tif 000003
【図２】
2010259910.tif 000004
【図３】
2010259910.tif 000005
【図４】
2010259910.tif 000006
【図５】
2010259910.tif 000007
【図６】
2010259910.tif 000008
【図７】
2010259910.tif 000009
【図８】
2010259910.tif 000010
【図９】
2010259910.tif 000011
【図１０】
2010259910.tif 000012
【図１１】
2010259910.tif 000013
【図１２】
2010259910.tif 000014
【図１３】
2010259910.tif 000015
【図１４】
2010259910.tif 000016
【図１５】
2010259910.tif 000017
【図１６】
2010259910.tif 000018
【図１７】
2010259910.tif 000019
【図１８】
2010259910.tif 000020
【図１９】
2010259910.tif 000021